【手続補正書】
【提出日】平成16年6月15日(2004.6.15)
【手続補正１】
【補正対象書類名】明細書
【補正対象項目名】特許請求の範囲
【補正方法】変更
【補正の内容】
【特許請求の範囲】
【請求項１】
端末装置、印刷装置を有する印刷システムにおいて、
前記端末装置は、
前記印刷装置に印刷の要求をする印刷要求手段を備え、
前記印刷装置は、
印刷する印刷データをネットワークを介して取得する際に、前記ネットワークに接続する回線を自己の回線と前記端末装置の回線とから選択する回線選択手段とを備えたことを特徴とする印刷システム。
【請求項２】
印刷システムの印刷動作方法において、
端末装置からの印刷要求に基づいて印刷装置が印刷する印刷データをネットワークを介して取得する際に、前記ネットワークに接続する回線を自己の回線と前記端末装置の回線とから選択する回線選択工程を有することを特徴とする印刷システムの印刷動作方法。
【請求項３】
端末装置、印刷装置及び表示装置を有する印刷システムにおいて、
前記端末装置は、
前記印刷装置に印刷の要求をする印刷要求手段を備え、
前記印刷装置は、
印刷処理の状態についての印刷ステータス情報を前記端末装置に送信できない場合には、前記表示装置を検出して該表示装置に前記印刷ステータス情報を通知するステータス情報通知手段を備え、
前記表示装置は、
前記印刷装置から受けた前記印刷ステータス情報を表示する表示手段を備えたことを特徴とする印刷システム。
【請求項４】
印刷システムの印刷動作方法において、
端末装置からの印刷要求に基づいて印刷処理を実行する印刷装置が、印刷処理の状態についての印刷ステータス情報を前記端末装置に送信できない場合には、表示装置を検出して該表示装置に前記印刷ステータス情報を通知することを特徴とする印刷システムの印刷動作方法。
【請求項５】
印刷装置において、
印刷する印刷データをネットワークを介して取得する際に、該ネットワークに接続する回線を自己の回線と印刷を要求した端末装置の回線とから選択する回線選択手段を備えたことを特徴とする印刷装置。
【請求項６】
前記端末装置と前記印刷装置とは、無線によって接続されることを特徴とする請求項５記載の印刷装置。
【請求項７】
前記印刷装置は、前記印刷の要求をした前記端末装置を識別する識別手段を有し、該識別手段による識別の結果によって、前記回線選択手段が前記回線の選択を実行することを特徴とする請求項５又は６記載の印刷装置。
【請求項８】
前記端末装置の識別に、機器属性の情報を利用することを特徴とする請求項７記載の印刷装置。
【請求項９】
前記回線選択手段は、前記端末装置が、前記印刷装置に対して印刷要求を行う際に指定した回線を選択することを特徴とする請求項５乃至８のいずれか１項に記載の印刷装置。
【請求項１０】
印刷装置において、
表示装置を検出する検出手段と、
印刷処理の状態についての印刷ステータス情報を印刷を要求した端末装置に送信できない場合に、前記検出手段により検出した表示装置に前記印刷ステータス情報を通知するステータス情報通信手段とを備えたことを特徴とする印刷装置。
【請求項１１】
前記印刷装置は、前記端末装置に送信できなかった印刷ステータス情報をサーバー装置に通知し、
前記サーバー装置が前記端末装置からの問合せに応じて前記印刷ステータス情報を前記端末装置に送信することを特徴とする請求項１０記載の印刷装置。
【請求項１２】
前記印刷装置は、前記端末装置の位置を検出し、該端末装置の位置に最も近い位置の表示装置に、前記印刷ステータス情報を送信することを特徴とする請求項１０又は１１記載の印刷装置。
【請求項１３】
前記ステータス情報通信手段は、前記端末装置から印刷要求を受けた際に指定された印刷ステータス情報の通知方法に基づいて、印刷ステータス情報の通知を行うことを特徴とする請求項１０乃至１２のいずれか１項に記載の印刷装置。
【請求項１４】
前記検出手段は、機器属性の情報を利用して表示装置の検出を行うことを特徴とする請求項１０乃至１３のいずれか１項に記載の印刷装置。
【手続補正２】
【補正対象書類名】明細書
【補正対象項目名】０００１
【補正方法】変更
【補正の内容】
【０００１】
【発明の属する技術分野】
本発明は、携帯電話やＰＤＡ（Personal Digital Assistants）などの端末装置（Information Appliance：以下、ＩＡ装置）と印刷装置を有する印刷システム、印刷動作方法、及び印刷装置に関する。
【手続補正３】
【補正対象書類名】明細書
【補正対象項目名】０００７
【補正方法】変更
【補正の内容】
【０００７】
本発明の第１の目的は、印刷データを取得する際に接続回線を選択できるようにすることにある。
【手続補正４】
【補正対象書類名】明細書
【補正対象項目名】０００８
【補正方法】変更
【補正の内容】
【０００８】
本発明の第２の目的は、印刷装置と端末装置との接続が断絶した場合などにも印刷ステータスの情報を通知できるようにすることにある。
【手続補正５】
【補正対象書類名】明細書
【補正対象項目名】００１０
【補正方法】変更
【補正の内容】
【００１０】
また、印刷システムの印刷動作方法において、端末装置からの印刷要求に基づいて印刷装置が印刷する印刷データをネットワークを介して取得する際に、前記ネットワークに接続する回線を自己の回線と前記端末装置の回線とから選択する回線選択工程を有することを特徴とする。
【手続補正６】
【補正対象書類名】明細書
【補正対象項目名】００１１
【補正方法】変更
【補正の内容】
【００１１】
また、端末装置、印刷装置及び表示装置を有する印刷システムにおいて、前記端末装置は、前記印刷装置に印刷の要求をする印刷要求手段を備え、前記印刷装置は、印刷処理の状態についての印刷ステータス情報を前記端末装置に送信できない場合には、前記表示装置を検出して該表示装置に前記印刷ステータス情報を通知するステータス情報通知手段を備え、前記表示装置は、前記印刷装置から受けた前記印刷ステータス情報を表示する表示手段を備えたことを特徴とする。
【手続補正７】
【補正対象書類名】明細書
【補正対象項目名】００１２
【補正方法】変更
【補正の内容】
【００１２】
また、印刷システムの印刷動作方法において、端末装置からの印刷要求に基づいて印刷処理を実行する印刷装置が、印刷処理の状態についての印刷ステータス情報を前記端末装置に送信できない場合には、表示装置を検出して該表示装置に前記印刷ステータス情報を通知することを特徴とする。
【手続補正８】
【補正対象書類名】明細書
【補正対象項目名】００１３
【補正方法】変更
【補正の内容】
【００１３】
また、印刷装置において、印刷する印刷データをネットワークを介して取得する際に、該ネットワークに接続する回線を自己の回線と印刷を要求した端末装置の回線とから選択する回線選択手段を備えたことを特徴とする。
【手続補正９】
【補正対象書類名】明細書
【補正対象項目名】００１４
【補正方法】変更
【補正の内容】
【００１４】
また、印刷装置において、表示装置を検出する検出手段と、印刷処理の状態についての印刷ステータス情報を印刷を要求した端末装置に送信できない場合に、前記検出手段により検出した表示装置に前記印刷ステータス情報を通知するステータス情報通信手段とを備えたことを特徴とする。
【手続補正１０】
【補正対象書類名】明細書
【補正対象項目名】００６０
【補正方法】変更
【補正の内容】
【００６０】
また、端末装置が印刷装置に印刷の要求を出した後に、端末装置とネットワークとの接続が切れた場合などでも、印刷装置は表示装置に印刷ステータス情報を通知し、表示装置は端末装置に代わって印刷ステータス情報の通知内容を表示できる。